(57)【要約】【課題】  被写体の様々な明るさや様々な撮影シーンに応じて適切なコントラスト最大点を得ることができる撮影装置を提供する。【解決手段】  ＡＦ検出回路１０＿５１に、ＣＣＤ１０＿４１で得られた画像信号から所定の周波数領域の信号を抽出するローパス用，ハイパス用のＡＦフィルタを備え、それらＡＦフィルタの特性を、ＡＥ検出回路１０＿５０により検出された被写界輝度に応じて切り替え、切り替えられたＡＦフィルタからのＡＦ評価値に基づいて、フォーカスレンズ１０＿１ａ2を合焦位置に駆動する。【選択図】  図３
2006145964.tif 000002
【特許請求の範囲】
【請求項１】
撮影光学系により撮像素子上に被写体像を結像し該撮像素子で被写体を表わす画像信号を生成して記録する撮影装置において、
前記撮像素子で得られた画像信号から所定の周波数領域の信号を抽出するフィルタを有し、該フィルタを通過した信号に基づくコントラスト検知によりコントラスト最大点にピントを合わせるピント調整手段と、
被写界輝度を測定する測光手段とを備え、
前記ピント調整手段が、前記フィルタの特性を、前記測光手段により測光された被写界輝度に応じて切り替えるフィルタ制御部をさらに備えたものであることを特徴とする撮影装置。
【請求項２】
撮影光学系により撮像素子上に被写体像を結像し該撮像素子で被写体を表わす画像信号を生成して記録する撮影装置において、
前記撮像素子で得られた画像信号から所定の周波数領域の信号を抽出するフィルタを有し、該フィルタを通過した信号に基づくコントラスト検知によりコントラスト最大点にピントを合わせるピント調整手段と、
撮影シーンを選択するシーン設定操作子とを備え、
前記ピント調整手段が、前記フィルタの特性を、前記シーン設定操作子により設定された撮影シーンに応じて切り替えるフィルタ制御部をさらに備えたことを特徴とする撮影装置。
【発明の詳細な説明】
【技術分野】
【０００１】
本発明は、撮影光学系により撮像素子上に被写体像を結像しその撮像素子で被写体を表わす画像信号を生成して記録する撮影装置に関する。
【背景技術】
【０００２】
上述のような撮影装置として、撮影レンズにより撮像素子上に被写体像を結像し、その撮像素子で被写体を表わす画像信号を生成してＩＣメモリカードに記録するデジタルカメラが普及している。このようなデジタルカメラにおいて、撮影レンズの焦点位置を調節して、被写体像を撮像素子の撮像面に自動的に合焦させるための自動焦点調節装置（以下、ＡＦ装置と称する）が搭載されたデジタルカメラが知られている。ＡＦ装置としては、被写体像の鮮鋭さを検出し、この鮮鋭さを表わすコントラストが最大となるように焦点を合わせるコントラスト検出方式が一般的である。例えば、このコントラスト検出方式は、撮像画面のほぼ中央に設けられたフォーカスエリアにおける輝度信号からコントラストを表わす高周波成分をハイパスフィルタやバンドパスフィルタ等のＡＦフィルタで抽出し、抽出した高周波成分に基づくコントラスト信号から算出したコントラスト評価値が最大となるように撮影レンズを移動させて自動焦点を得る方式である。
【０００３】
このようなコントラスト検出方式を採用した装置として、第１のＡＦフィルタで画像信号の高域の周波数成分を抽出し、第２のＡＦフィルタで画像信号の中域以上の周波数成分を抽出し、これら抽出した周波数成分に基づいてコントラスト最大点にピントを合わせる技術が提案されている（特許文献１参照）。
【特許文献１】特開平６−２４５１２６号公報
【発明の開示】
【発明が解決しようとする課題】
【０００４】
ＡＦ装置が搭載されたデジタルカメラにおいて、同じ被写体を撮影する場合であっても、明るい場所ではコントラストが高くなるため、被写体を表わす画像信号には高周波成分が多く含まれる。一方、暗い場所ではコントラストが低くなるため、被写体を表わす画像信号には低周波成分が多く含まれる。ここで、上述した特許文献１に提案された技術では、明るい場所では第１のＡＦフィルタで高周波領域の信号を抽出し、暗い場所では第２のＡＦフィルタで低周波領域の信号を抽出することにより、コントラスト最大点にピントを合わせるというフォーカス制御が行なわれる。しかし、このように一義的にフォーカス制御を行なうのでは、被写体の様々な明るさや様々な撮影シーンに応じて適切なコントラスト最大点を得ることは困難である。
【０００５】
本発明は、上記事情に鑑み、被写体の様々な明るさや様々な撮影シーンに応じて適切なコントラスト最大点を得ることができる撮影装置を提供することを目的とする。
【課題を解決するための手段】
【０００６】
上記目的を達成する本発明の撮影装置のうちの第１の撮影装置は、撮影光学系により撮像素子上に被写体像を結像しその撮像素子で被写体を表わす画像信号を生成して記録する撮影装置において、
上記撮像素子で得られた画像信号から所定の周波数領域の信号を抽出するフィルタを有し、そのフィルタを通過した信号に基づくコントラスト検知によりコントラスト最大点にピントを合わせるピント調整手段と、
被写界輝度を測定する測光手段とを備え、
上記ピント調整手段が、上記フィルタの特性を、上記測光手段により測光された被写界輝度に応じて切り替えるフィルタ制御部をさらに備えたものであることを特徴とする。
【０００７】
本発明の第１の撮影装置は、撮像素子で得られた画像信号から所定の周波数領域の信号を抽出するフィルタの特性を、測光手段により測光された被写界輝度に応じて切り替えるものであるため、例えば実施形態に示すように、被写界輝度を表わすＡＥ（Ａｕｔｏ  Ｅｘｐｏｓｕｒｅ）値に応じたパラメータをフィルタに設定することにより、そのＡＥ値に見合ったフィルタの特性に切り替えられる。従って、被写体の様々な明るさに応じて適切なコントラスト最大点を得ることができる。また、例えば暗い場所での撮影にあたり、従来ではコントラストが低すぎて被写体像を撮像素子の撮像面に合焦させることが困難な場合であっても、本発明では被写体像を撮像素子の撮像面に素早く合焦させることができる。
【０００８】
また、上記目的を達成する本発明の撮影装置のうちの第２の撮影装置は、撮影光学系により撮像素子上に被写体像を結像しその撮像素子で被写体を表わす画像信号を生成して記録する撮影装置において、
上記撮像素子で得られた画像信号から所定の周波数領域の信号を抽出するフィルタを有し、そのフィルタを通過した信号に基づくコントラスト検知によりコントラスト最大点にピントを合わせるピント調整手段と、
撮影シーンを選択するシーン設定操作子とを備え、
上記ピント調整手段が、上記フィルタの特性を、上記シーン設定操作子により設定された撮影シーンに応じて切り替えるフィルタ制御部をさらに備えたことを特徴とする。
【０００９】
本発明の第２の撮影装置は、撮像素子で得られた画像信号から所定の周波数領域の信号を抽出するフィルタの特性を、シーン設定操作子により設定された撮影シーンに応じて切り替えるものであるため、後述する実施形態に示すように、シーン設定操作子であるモードダイヤルで選択された夜景，スポーツ，風景，人物の撮影シーンに応じたパラメータをフィルタに設定することにより、それらの撮影シーンに見合ったフィルタの特性に切り替えられる。従って、様々な撮影シーンに応じて適切なコントラスト最大点を得ることができる。このようにすることにより、例えば風景を撮影する場合は、遠くのものを撮ることが多く、これら遠くのものは小さく写り、結果として画像信号には高周波成分が多く含まれため、フィルタに高周波数用のパラメータを設定することにより鮮明な画像を得ることができる。
【発明の効果】
【００１０】
本発明の撮影装置によれば、被写体の様々な明るさや様々な撮影シーンに応じて適切なコントラスト最大点を得ることができる。
【発明を実施するための最良の形態】
【００１１】
以下、本発明の実施の形態について説明する。
【００１２】
図１は、本発明の第１の撮影装置の一実施形態であるデジタルカメラを前面斜め上から見た外観斜視図である。
【００１３】
図１に示すデジタルカメラ１０の前面中央部には、光学ズームレンズである撮影レンズ１０＿１ａを内部に備えたズーム鏡胴１０＿１が備えられている。また、このデジタルカメラ１０の前面上部には、撮影に同期してフラッシュ光を発するフラッシュ発光装置１０＿２と、フラッシュ発光装置１０＿２からのフラッシュ光の光量を制御するためにそのフラッシュ光の光量を検出するフラッシュ調光センサ１０＿３と、光学式ファインダ対物窓１０＿４とが備えられている。
【００１４】
また、このデジタルカメラ１０の前面左側には、スライド式の電源スイッチ１０＿５と、このデジタルカメラ１０に内蔵されたバッテリを充電しているときに点灯したり画像データの伝送時やセルフタイマ作動時等に点滅したりするイルミネーションランプ１０＿６が備えられている。
【００１５】
さらに、このデジタルカメラ１０の上面には、シャッタボタン１０＿７および音声をピックアップするマイクロホン１０＿８が備えられている。
【００１６】
また、このデジタルカメラ１０の図１に示す右側面には、スピーカ１０＿９、撮影済みの画像データをパーソナルコンピュータなどに送信するときに使用されるＵＳＢケーブルが接続されるＵＳＢ端子１０＿１０、および外部電源端子１０＿１１が備えられている。
【００１７】
図２は、図１に示すデジタルカメラを背面斜め上から見た外観斜視図である。
【００１８】
図２に示すデジタルカメラ１０の背面上部には、光学式ファインダ接眼窓１０＿２２と、撮影準備完了等に点灯したり撮影中に点滅したりするファインダランプ１０＿２３と、静止画モード，再生モード，動画撮影モードを切り換えるモードスイッチ１０＿２４とが備えられている。また、モードスイッチ１０＿２４の右側には、マクロボタン１０＿２５と、ズームボタン１０＿２６と、フラッシュボタン１０＿２７とが備えられている。
【００１９】
マクロボタン１０＿２５は、マクロ撮影を行なうか否かを切り換えるボタンであり、一度押下するとマクロ撮影モードとなり、再度押下するとマクロ撮影モードが解除される。
【００２０】
ズームボタン１０＿２６は、上方に向けて押下することにより望遠側（テレ側）にズームアップするとともに下方に向けて押下することにより広角側（ワイド側）にズームダウンするボタンである。また、このズームボタン１０＿２６は、単に押下することにより、後述する液晶モニタ１０＿２８に表示される各種のメニューを選択するボタンである。
【００２１】
フラッシュボタン１０＿２７は、押下する毎に、オートフラッシュ→赤目低減フラッシュ→強制フラッシュ→フラッシュ禁止→スローシンクロ→オートフラッシュというようにフラッシュの状態を繰り返し切り換えるためのボタンである。
【００２２】
また、デジタルカメラ１０の背面中央部には、液晶モニタ１０＿２８と、ＭＥＮＵ／ＯＫボタン１０＿２９と、ＢＡＣＫボタン１０＿３０と、ＤＩＳＰボタン１０＿３１と、フォトモードボタン１０＿３２とが備えられている。
【００２３】
液晶モニタ２８は、デジタルカメラ１０で被写体光を捉えて生成された画像データからなる画像や種々の設定時における情報等を表示する。
【００２４】
ＭＥＮＵ／ＯＫボタン１０＿２９は、撮影時や再生時における各種のメニューを表示したり、上記ズームボタン１０＿２６により選択されたメニューを決定するためのボタンである。
【００２５】
ＢＡＣＫボタン１０＿３０は、ＭＥＮＵ／ＯＫボタン１０＿２９等による操作状態を１つ前に戻したり取り消したりするためのボタンである。
【００２６】
ＤＩＳＰボタン１０＿３１は、液晶モニタ１０＿２８に表示された画面の状態を切り換えるためのボタンであり、例えば撮影時に液晶モニタ１０＿２８の表示をオン，オフしたり、再生時に文字表示をオン，オフしたりするためのボタンである。
【００２７】
フォトモードボタン１０＿３２は、ピクセル数，感度，色味，プリント枚数等を設定するためのボタンである。
【００２８】
さらに、デジタルカメラ１０の背面下部には、バッテリおよびメモリカードを収容する収容蓋１０＿３３が備えられている。また、このデジタルカメラ１０の側面部には、ストラップ取付部１０＿３４も備えられている
図３は、図１に示すデジタルカメラの回路構成を示すブロック図である。
【００２９】
このデジタルカメラ１０には、前述した撮影レンズ１０＿１ａを構成するズームレンズ１０＿１ａ1およびフォーカスレンズ１０＿１ａ2と、その撮影レンズ１０＿１ａを経由して結像された被写体像をアナログ信号に変換する撮像素子（ＣＣＤと称する）１０＿４１が備えられている。
【００３０】
また、このデジタルカメラ１０には、ＣＣＤ１０＿４１からのアナログの画像信号をＡ／Ｄ変換してデジタルの画像信号を生成するＡ／Ｄ変換回路１０＿４２と、そのＡ／Ｄ変換回路１０＿４２からのデジタルの画像信号をバスライン１０＿１００に伝達する画像入力コントローラ１０＿４３と、バスライン１０＿１００を介して入力されたデジタルの画像信号を輝度（Ｙ）と色（Ｃ）とで表わされるＹＣ信号に変換する画像信号処理回路１０＿４４とが備えられている。
【００３１】
さらに、このデジタルカメラ１０には、バスライン１０＿１００を介して入力されたＹＣ信号を圧縮処理する圧縮処理回路１０＿４５と、バスライン１０＿１００を介して入力されたＹＣ信号をＮＴＳＣ（Ｎａｔｉｏｎａｌ  ＴＶ  Ｓｔａｎｄａｒｄｓ  Ｃｏｍｍｉｔｔｅｅ）信号に変換するビデオエンコーダ１０＿４６が備えられている。ビデオエンコーダ１０＿４６から出力されたＮＴＳＣ信号は、前述した液晶モニタ１０＿３４に供給されてその液晶モニタ１０＿３４で画像が表示される。
【００３２】
また、デジタルカメラ１０には、このデジタルカメラ１０全体の制御を行なうＣＰＵ１０＿４７と、ズームレンズ１０＿１ａ1，フォーカスレンズ１０＿１ａ2を駆動するモータドライバ１０＿４８，１０＿４９と、前述したシャッタボタン１０＿８とが備えられている。
【００３３】
さらに、このデジタルカメラ１０には、デジタルの画像信号に基づいて被写界輝度を検出するＡＥ検出回路１０＿５０（本発明にいう測光手段の一例に相当）が備えられている。
【００３４】
また、このデジタルカメラ１０には、デジタルの画像信号に基づいて所定の周波数領域の信号を抽出する後述するフィルタを有し、そのフィルタを通過した信号に基づくコントラスト検知によりコントラスト最大点にピントを合わせるＡＦ検出回路１０＿５１が備えられている。ここで、ＡＦ検出回路１０＿５１，ＣＰＵ１０＿４７，モータドライバ１０＿４９，フォーカスレンズ１０＿１ａ1が、本発明にいうピント調整手段の一例に相当する。また、ＣＰＵ１０＿４７は、フィルタの特性を、ＡＥ検出回路１０＿５０で検出された被写体輝度に応じて切り替える本発明にいうフィルタ制御部の役割を担うものでもある。
【００３５】
さらに、このデジタルカメラ１０には、デジタルの画像信号が記憶されるメモリ（ＳＤＲＡＭ）１０＿５２と、圧縮処理回路１０＿４５で圧縮されたＹＣ信号を可搬型記録媒体である記録メディア１０＿５４に記録するためのメディアコントローラ１０＿５３が備えられている。
【００３６】
図４は、図３に示すＡＦ回路の構成を示す図である。
【００３７】
図４には、前述したＣＣＤ１０＿４１およびＡ／Ｄ変換回路１０＿４２と、ＡＦ回路１０＿５１が示されている。尚、ここでは、図面を簡略化するために、画像入力コントローラ１０＿４３やバスライン１０＿１００等は図示省略する。
【００３８】
ＣＣＤ１０＿４１からのアナログの画像信号は、Ａ／Ｄ変換回路１０＿４２でデジタルの画像信号にＡ／Ｄ変換されて、図３に示す画像入力コントローラ１０＿４３，バスライン１０＿１００，画像信号処理回路１０＿４４を経由して、ＡＦ回路１０＿５１に入力される。
【００３９】
ＡＦ回路１０＿５１では、プリガンマ処理部１０＿５１１で、入力されたデジタルの画像信号が表わす明るさのレベルを、予め設定された入出力特性（ガンマカーブ）に従って所定の大きさのレベルに変換して、ローパス用のＡＦフィルタ１０＿５１２に向けて出力する。
【００４０】
ローパス用のＡＦフィルタ１０＿５１２の構成については後述するが、このＡＦフィルタ１０＿５１２は、ＡＥ検出回路１０＿５０で検出された被写界輝度の値（ＥＶ値）に応じた低周波成分を有する周波数の画像信号を通過させるための特性に切り替えられ、その切り替えられた特性に応じた周波数成分を有する画像信号を、ハイパス用のＡＦフィルタ１０＿５１３，５１７に向けて出力する。
【００４１】
ハイパス用のＡＦフィルタ１０＿５１３，１０＿５１７の構成についても後述するが、これらのＡＦフィルタ１０＿５１３，１０＿５１７は、上記ＡＥ検出回路１０＿５０で検出された被写界輝度の値（ＥＶ値）に応じた互いに異なる高周波成分を有する周波数の画像信号を通過させるための特性に切り替えられ、それら特性に応じた周波数成分を有する画像信号を、ＡＢＳ（絶対値）部１０＿５１４，１０＿５１８に向けて出力する。
【００４２】
このハイパス用のＡＦフィルタ１０＿５１３，１０＿５１７からの画像信号は、隣接画素の画素値どうしの差分を表わす画像信号となっており、この画像信号は、ＡＢＳ（絶対値）部１０＿５１４，１０＿５１８に入力されて、マイナスの値はプラスの値に変更されるとともにプラスの値はそのまま通過してコアリング１０＿５１５，１０＿５１９に向けて出力される。
【００４３】
コアリング１０＿５１５，１０＿５１９は、ＡＢＳ部１０＿５１４，１０＿５１８からのデータから所定の一定値を引き算することによりノイズ除去を行なう。
【００４４】
積算部１０＿５１６，１０＿５２０は、ノイズ除去されたデータを積算することにより、第１，第２のバンドパスフィルタ特性における第１，第２の評価値を得る。これら第１，第２の評価値に基づいて、後述するようにしてフォーカス制御が行なわれる。
【００４５】
図５は、図３に示すＡＥ検出回路で検出された被写界輝度のＥＶ値と、図４に示すＡＦフィルタに設定するパラメータとを示す図である。
【００４６】
尚、図５に示すＡＦフィルタ１，２，３は、図４に示すローパス用のＡＦフィルタ１０＿５１２，ハイパス用のＡＦフィルタ１０＿５１３，１０＿５１７を示す。
【００４７】
図５には、ＡＥ検出回路１０＿５０で検出された、比較的暗い場所における被写界輝度のＥＶ値（５ＥＶ未満）と、通常の明るさの場所における被写界輝度のＥＶ値（５ＥＶ〜１０ＥＶ未満）と、比較的明るい場所における被写界輝度のＥＶ値（１０ＥＶ以上）とが示されている。即ち、被写体を表わす画像信号に、低周波成分が多く含まれる場所と、中間の周波成分が多く含まれる場所と、高周波成分が多く含まれる場所とにおけるＥＶ値が示されている。ここで、図５に示すＡＦフィルタ１，２，３には、被写界輝度のＥＶ値（５ＥＶ未満），（５ＥＶ〜１０ＥＶ未満），（１０ＥＶ以上）に応じて、この図５に示すパラメータＳ，Ａ１，Ａ２が設定される。
【００４８】
図６は、図４に示すローパス用のＡＦフィルタの構成を示す図である。
【００４９】
図６に示すローパス用のＡＦフィルタ１０＿５１２には、乗算器１０＿５１２ａ，１０＿５１２ｂ，１０＿５１２ｃ，１０＿５１２ｄと、遅延回路１０＿５１２ｅ，１０＿５１２ｆ，１０＿５１２ｇ，１０＿５１２ｈと、減算器１０＿５１２ｉと、加算器１０＿５１２ｊ，１０＿５１２ｋ，１０＿５１２ｍとが備えられている。
【００５０】
乗算器１０＿５１２ａには、図４に示すプリガンマ処理部１０＿５１１からの画像信号ｉｎおよび図５に示す被写界輝度のＥＶ値（例えば５ＥＶ未満）に応じたパラメータＳ（＝７）が設定される。また、乗算器１０＿５１２ｂ，１０＿５１２ｃには、被写界輝度のＥＶ値（５ＥＶ未満）に応じたパラメータＡ１（＝１），Ａ２（＝５）が設定される。
【００５１】
このローパス用のＡＦフィルタ１０＿５１２は、乗算器１０＿５１２ａで画像信号ｉｎとパラメータＳとを乗算して画像信号を得、その画像信号を遅延回路１０＿５１２ｅで所定時間だけ遅延させて減算器１０＿５１２ｉに出力する。減算器１０＿５１２ｉでは、遅延回路１０＿５１２ｅからの画像信号を、遅延回路１０＿５１２ｆ，１０＿５１２ｇ，パラメータＡ１が設定された乗算器１０＿５１２ｂ，パラメータＡ２が設定された乗算器１０＿５１２ｃ，加算器１０＿５１２ｊからなるフィードバック経路からの画像信号で減算して加算器１０＿５１２ｋに出力する。加算器１０＿５１２ｋでは、この信号と、乗算器１０＿５１２ｄ，加算器１０＿５１２ｍからなるフィードフォワード経路からの画像信号とを加算して、遅延回路１０＿５１２ｈを経由して画像信号ｏｕｔとして出力する。このようにして、被写界輝度のＥＶ値（５ＥＶ未満）に応じて設定されたパラメータＳ，Ａ１，Ａ２に基づくフィルタ特性を有するローパス用のＡＦフィルタ１０＿５１２が実現される。
【００５２】
図７は、図４に示すハイパス用のＡＦフィルタの構成を示す図である。
【００５３】
尚、図６に示すローパス用のＡＦフィルタ１０＿５１２の構成要素と同じ構成要素には同一の符号を付して説明する。
【００５４】
図７に示すハイパス用のＡＦフィルタ１０＿５１３は、図６に示すローパス用のＡＦフィルタ１０＿５１２と比較し、加算器１０＿５１２ｍが減算器１０＿５１３ｍに置き換えられている点が異なっている。
【００５５】
乗算器１０＿５１２ａには、図４に示すプリガンマ処理部１０＿５１１からの画像信号ｉｎおよび図５に示す被写界輝度のＥＶ値（例えば５ＥＶ未満）に応じたパラメータＳ（＝２７）が設定される。また、乗算器１０＿５１２ｂ，１０＿５１２ｃには、被写界輝度のＥＶ値（５ＥＶ未満）に応じたパラメータＡ１（＝−５３），Ａ２（＝２２）が設定される。
【００５６】
このハイパス用のＡＦフィルタ１０＿５１３を構成する減算器１０＿５１２ｉでは、遅延回路１０＿５１２ｅからの画像信号を、上述したフィードバック経路からの画像信号で減算して加算器１０＿５１２ｋに出力する。加算器１０＿５１２ｋでは、この信号と、乗算器１０＿５１２ｄ，減算器１０＿５１３ｍからなるフィードフォワード経路からの画像信号とを加算して、遅延回路１０＿５１２ｈを経由して画像信号ｏｕｔとして出力する。このようにして、被写界輝度のＥＶ値（５ＥＶ未満）に応じて設定されたパラメータＳ，Ａ１，Ａ２に基づくフィルタ特性を有するハイパス用のＡＦフィルタ１０＿５１３が実現される。尚、図４に示すハイパス用のＡＦフィルタ１０＿５１７の構成も、このハイパス用のＡＦフィルタ１０＿５１３の構成と同じであり、このハイパス用のＡＦフィルタ１０＿５１７には、ここでは、被写界輝度のＥＶ値（５ＥＶ未満）に応じたパラメータＳ（＝２５），Ａ１（＝−４７），Ａ２（＝１９）が設定される。
【００５７】
図８は、図３に示すデジタルカメラで実行されるＡＥ処理，ＡＦ処理を示すフローチャートである。
【００５８】
ユーザがＡＥ処理／ＡＦ処理での撮影を指示すると、先ずステップＳ１において、ＡＥ処理（輝度の取得）を行なう。次いで、ステップＳ２において、取得した輝度に応じてＡＦフィルタ設定用のパラメータの選択を行なう。さらに、ステップＳ３において、図９を参照して説明するＡＦ処理を行なって撮影シーケンスへと移行する。
【００５９】
図９は、図８に示すＡＦ処理ルーチンのフローチャートである。
【００６０】
先ず、ステップＳ１１において、このＡＦ処理に使用するＡＦエリアを設定する。次に、ステップＳ１２において、選択されたＡＦフィルタのパラメータおよびコアリング値を設定する。さらに、ステップＳ１３において露出値を設定し、ステップＳ１４に進む。
【００６１】
ステップＳ１４では、フォーカスレンズをスタート位置に駆動する。次いで、ステップＳ１５において、合焦点を検出するためにフォーカスレンズを前後させるＡＦサーチを行なう。さらに、ステップＳ１６において合焦点を演算してステップＳ１７に進む。ステップＳ１７では、合焦位置を補正する。さらに、ステップＳ１８において、フォーカスレンズを合焦位置に駆動してこのルーチンを終了する。
【００６２】
図１０は、ＡＦフィルタに設定するパラメータを変更した場合のＡＦ評価値の変化を示す図である。
【００６３】
図１０には、ローパス用のＡＦフィルタに設定するパラメータを固定にしておき、ハイパス用のＡＦフィルタに設定するパラメータを、「やや低周波」用のパラメータから「やや高周波」用のパラメータに変更した場合のグラフが示されている。
【００６４】
グラフＡは、ハイパス用のＡＦフィルタに「やや低周波」用のパラメータを設定した場合のＡＦ評価値を示す。一方、グラフＢは、ハイパス用のＡＦフィルタに「やや高周波」用のパラメータを設定した場合のＡＦ評価値を示す。このように、ＡＦフィルタに設定するパラメータを少し変更するだけで、同じ画像でもＡＦ評価値の出方が変わるため、ＡＥ検出回路１０＿５０で検出された被写界輝度に基づいてＡＦフィルタ設定用のパラメータを選択することは有効である。
【００６５】
尚、ここでは、ＡＥ検出回路１０＿５０で検出された被写界輝度に基づいてＡＦフィルタ設定用のパラメータを選択する例で説明したが、最終的に液晶モニタ１０＿３４に表示するためのスルー画の明るさに基づいてＡＦフィルタ設定用のパラメータを選択してもよい。
【００６６】
図１１は、本発明の第２の撮影装置の一実施形態であるデジタルカメラを前面斜め上から見た外観斜視図である。
【００６７】
図１１に示すデジタルカメラ１１０の前面中央部には、光学ズームレンズである撮影レンズ１１０＿１ａを内部に備えたズーム鏡胴１１０＿１が備えられている。また、このデジタルカメラ１１０の前面上部には、撮影に同期してフラッシュ光を発するフラッシュ発光装置１１０＿２と、フラッシュ発光装置１１０＿２からのフラッシュ光の光量を制御するためにそのフラッシュ光の光量を検出するフラッシュ調光センサ１１０＿３と、光学式ファインダ対物窓１１０＿４とが備えられている。
【００６８】
また、このデジタルカメラ１１０の前面左側には、このデジタルカメラ１１０を確実に握ることができる形状を有するグリップ１１０＿５と、セルフタイマ作動時等に点滅するセルフタイマランプ１１０＿６と、音声をピックアップするマイクロホン１１０＿７とが備えられている。
【００６９】
さらに、このデジタルカメラ１１０の上面には、シャッタボタン１１０＿８と、各種の設定を行なうためのモードダイヤル１１０＿９（本発明にいうシーン設定操作子の一例に相当）と、電源ボタン１１０＿１０とが備えられている。
【００７０】
また、このデジタルカメラ１１０の図１１に示す右側面には、スピーカ１１０＿１１が備えられている。
【００７１】
図１２は、図１１に示すデジタルカメラを上から見た外観図である。
【００７２】
このデジタルカメラ１１０には、前述したフラッシュ発光装置１１０＿２，シャッタボタン１１０＿８，モードダイヤル１１０＿９，電源ボタン１１０＿１０に加えて、このデジタルカメラ１１０の上方から下方に向けて設けられた斜面部に、フラッシュ発光装置１１０＿２をポップアップするためのポップアップボタン１１０＿１２が備えられている。また、モードダイヤル１１０＿９には、オートモードを示す文字ＡＵＴＯ、プログラムオートモードを示すＰ、シャッタスピード優先オートモードを示すＳ、絞り優先オートモードを示すＡ、マニュアルモードを示すＭ、動画モードを示す絵柄、および４つのシーンポジション（夜景、スポーツ、風景、人物のシーンポジション）を示す４つの絵柄が印刷されている。このモードダイヤル１１０＿９を回転操作することにより、所望のモードに設定することができる。ここで、各モードについて説明する。
【００７３】
オートモード（ＡＵＴＯ）は、カメラ側で露出やホワイトバランス等全てを制御するためのモードである。
【００７４】
プログラムオートモード（Ｐ）は、シャッタスピードと絞りを自動的に設定するためのモードである。
【００７５】
シャッタスピード優先オートモード（Ｓ）は、シャッタスピードを優先的に設定するためのモードである。
【００７６】
絞り優先オートモード（Ａ）は、絞りを優先的に設定するためのモードである。
【００７７】
マニュアルモード（Ｍ）は、シャッタスピードと絞りを自由に設定するためのモードである。
【００７８】
マニュアルモード（Ｍ）の隣りの絵柄で示される動画モードは、動画撮影用のモードである。
【００７９】
また、この動画モードから見て時計回りに４つの撮影シーン（夜景、スポーツ、風景、人物）を選択するための４つのシーンポジションモードがある。
【００８０】
夜景用のシーンポジションモードは、夕景や夜景などの雰囲気を活かした撮影に好適なモードである。
【００８１】
スポーツ用のシーンポジションモードは、スポーツシーンをはじめ、動体撮影に好適なモードである。
【００８２】
風景用のシーンポジションモードは、建物や山等、昼間の風景撮影に好適なモードである。
【００８３】
人物用のシーンポジションモードは、肌色をより美しく写し出すことができるポートレート撮影に好適なモードである。
【００８４】
図１３は、図１１に示すデジタルカメラを背面から見た外観図である。
【００８５】
図１３に示すデジタルカメラ１１０の背面上部には、光学式ファインダ接眼窓１１０＿２２と、撮影準備完了等に点灯したり撮影中に点滅したりするファインダランプ１１０＿２３と、露出補正ボタン１１０＿２４と、押下することにより広角側（ワイド側）にズームアップする広角ズームボタン１１０＿２５と、押下することにより望遠側（テレ側）にズームアップする望遠ズームボタン１１０＿２６と、撮影モードと再生モードを切り換えるモードスイッチ１１０＿２７とが備えられている。
【００８６】
また、モードスイッチ１１０＿２７の下側には、フォトモードボタン１１０＿３０と、十字ボタン１１０＿３１と、メニュー／ＯＫボタン１１０＿３２と、ＤＩＳＰ／ＢＡＣＫボタン１１０＿３３とが備えられている。さらに、デジタルカメラ１１０の背面中央部には、液晶モニタ１１０＿３４が備えられている。
【００８７】
フォトモードボタン１１０＿３０は、ピクセル数，感度，色味，プリント枚数等を設定するためのボタンである。
【００８８】
十字ボタン１１０＿３１は、液晶モニタ１１０＿３４上にメニュー画面などが表示された場合には、その十字キー１１０＿３１の上ボタン１１０＿３１ａ、下ボタン１１０＿３１ｂ、左ボタン１１０＿３１ｃ、右ボタン１１０＿３１ｄの４つのボタンを操作することによってメニューの選択を行なうことができる。また、左ボタン１１０＿３１ｃは、マクロ撮影を行なうか否かを切り換えるためのボタン（本発明にいうシーン設定操作子の他の一例に相当）でもあり、一度押下するとマクロ撮影モードとなり、再度押下するとマクロ撮影モードが解除される。さらに、右ボタン１１０＿３１ｄは、フラッシュボタンの役割を担うボタンでもあり、押下する毎に、オートフラッシュ→赤目低減フラッシュ→強制フラッシュ→フラッシュ禁止→スローシャッタでのフラッシュ→オートフラッシュというようにフラッシュの状態を繰り返し切り換えるためのボタンでもある。
【００８９】
メニュー／ＯＫボタン１１０＿３２は、撮影時や再生時における各種のメニューを表示したり、選択されたメニューを決定するためのボタンである。尚、メニュー／ＯＫボタン１１０＿３２も本発明にいうシーン設定操作子の他の一例に相当し、このメニュー／ＯＫボタン１１０＿３２の操作により撮影シーンを変更することもできる。
【００９０】
ＤＩＳＰ／ＢＡＣＫボタン１１０＿３３は、ＤＩＳＰボタンおよびＢＡＣＫボタン双方の役割を担うボタンである。ＤＩＳＰボタンの役割の場合は、液晶モニタ１１０＿３４に表示された画面の状態を切り換えるためのボタンとなり、例えば撮影時に液晶モニタ１１０＿３４の表示をオン，オフしたり、再生時に文字表示をオン，オフしたりする。一方、ＢＡＣＫボタンの役割の場合は、ＭＥＮＵ／ＯＫボタン１１０＿３２等による操作状態を１つ前に戻したり取り消したりするためのボタンとなる。
【００９１】
液晶モニタ１１０＿３４は、デジタルカメラ１１０で被写体光を捉えて生成された画像データからなる画像や種々の設定時における情報等を表示する。
【００９２】
図１４は、図１１に示すデジタルカメラの回路構成を示すブロック図である。
【００９３】
尚、前述した図３に示すデジタルカメラ１０の構成要素と同じ構成要素には同一の符号を付し重複説明は省く。
【００９４】
このデジタルカメラ１１０の回路構成は、図３に示すデジタルカメラ１０の回路構成と比較し、モードダイヤル１１０＿９が追加された点が異なっている。
【００９５】
このデジタルカメラ１１０は、ＣＣＤ１０＿４１で得られたアナログの画像信号に基づいて所定の周波数領域の信号を抽出するＡＦフィルタを有し、それらＡＦフィルタを通過した信号に基づくコントラスト検知によりコントラスト最大点にピントを合わせるＡＦ検出回路１０＿５１、ＣＰＵ１０＿４７、モータドライバ１０＿４９、およびフォーカスレンズ１０＿１ａ1からなるピント調整手段と、モードダイヤル１１０＿９とを備えている。
【００９６】
また、ＣＰＵ１０＿４７は、ＡＦフィルタの特性を、モードダイヤル１１０＿９により設定された撮影シーンに応じて切り替えるフィルタ制御部の役割を担うものでもある。
【００９７】
図１５は、モードダイヤルや十字ボタンにより切り替えられる撮影シーンのモードと、ＡＦ検出回路に備えられたＡＦフィルタに設定するパラメータとを示す図である。
【００９８】
図１５には、モードダイヤル１１０＿９により切り替えられる風景モード，人物モード，夜景モード，その他のモード（スポーツモード，オートモード）と、十字ボタン１１０＿３１により切り替えられるマクロモード、およびそれらのモードに対応してＡＦフィルタ１，２，３に設定するためのパラメータＳ，Ａ１，Ａ２が示されている。風景モードでは、遠くのものを撮ることが多く、遠くのものは小さく写り、結果として画像信号には高周波成分が多く含まれため、ＡＦフィルタ１，２，３に「やや高周波」用のパラメータを設定することにより鮮明な画像を得ることができる。また、人物モードやマクロモードでは遠くの背景を表わす画像信号に含まれる高周波成分よりも、近くの人物の肌等を表わす画像信号に含まれる低周波成分を拾う必要があり、従って「やや低周波１」用のパラメータをＡＦフィルタ１，２，３に設定する。さらに、夜景モードでは暗いシーンを撮るはずであり、コントラストが低下していることが想定されるため、画像信号に含まれる低周波成分が必要である。従って、「やや低周波２」用のパラメータをＡＦフィルタ１，２，３に設定し、その他のモードでは「標準」用のパラメータをＡＦフィルタ１，２，３に設定する。このようにすることにより、それぞれのモードで適切な画像を得ることができる。
【００９９】
図１６は、モードダイヤル変更処理ルーチンのフローチャートである。
【０１００】
ユーザがモードダイヤル１１０＿９を変更する操作を行なうと、ステップＳ２１において、モードダイヤル変更処理ルーチンが実行される。このモードダイヤル変更処理ルーチンでは、変更後のモードに応じてＡＦフィルタ設定用のパラメータ（図１５参照）の選択を行なう。その後、このルーチンを終了する。
【０１０１】
次いで、ユーザがＡＥ処理／ＡＦ処理での撮影を指示すると、ＡＥ処理が行なわれ、その後、選択されたパラメータの設定がＡＦフィルタに対して行なわれ、さらに前述した図９に示すＡＦ処理が行なわれて最終的にフォーカスレンズを合焦位置に駆動し、所定の撮影シーケンスへと移行する。
【図面の簡単な説明】
【０１０２】
【図１】本発明の第１の撮影装置の一実施形態であるデジタルカメラを前面斜め上から見た外観斜視図である。
【図２】図１に示すデジタルカメラを背面斜め上から見た外観斜視図である。
【図３】図１に示すデジタルカメラの回路構成を示すブロック図である。
【図４】図３に示すＡＦ回路の構成を示す図である。
【図５】図３に示すＡＥ検出回路で検出された被写界輝度のＥＶ値と、図４に示すＡＦフィルタに設定するパラメータとを示す図である。
【図６】図４に示すローパス用のＡＦフィルタの構成を示す図である。
【図７】図４に示すハイパス用のＡＦフィルタの構成を示す図である。
【図８】図３に示すデジタルカメラで実行されるＡＥ処理，ＡＦ処理を示すフローチャートである。
【図９】図８に示すＡＦ処理ルーチンのフローチャートである。
【図１０】ＡＦフィルタに設定するパラメータを変更した場合のＡＦ評価値の変化を示す図である。
【図１１】本発明の第２の撮影装置の一実施形態であるデジタルカメラを前面斜め上から見た外観斜視図である。
【図１２】図１１に示すデジタルカメラを上から見た外観図である。
【図１３】図１１に示すデジタルカメラを背面から見た外観図である。
【図１４】図１１に示すデジタルカメラの回路構成を示すブロック図である。
【図１５】モードダイヤルや十字ボタンにより切り替えられる撮影シーンのモードと、ＡＦ検出回路に備えられたＡＦフィルタに設定するパラメータとを示す図である。
【図１６】モードダイヤル変更処理ルーチンのフローチャートである。
【符号の説明】
【０１０３】
１０，１１０  デジタルカメラ
１０＿１，１１０＿１  ズーム鏡胴
１０＿１ａ  撮影レンズ
１０＿１ａ1  ズームレンズ
１０＿１ａ2  フォーカスレンズ
１０＿２，１１０＿２  フラッシュ発光装置
１０＿３，１１０＿３  フラッシュ調光センサ
１０＿４，１１０＿４  光学式ファインダ対物窓
１０＿５  電源スイッチ
１０＿６  イルミネーションランプ
１０＿７，１１０＿８  シャッタボタン
１０＿８  マイクロホン
１０＿９，１１０＿１１  スピーカ
１０＿１０  ＵＳＢ端子
１０＿１１  外部電源端子
１０＿２２，１１０＿２２  光学式ファインダ接眼窓
１０＿２３，１１０＿２３  ファインダランプ
１０＿２４  モードスイッチ
１０＿２５，１１０＿７  マクロボタン
１０＿２６  ズームボタン
１０＿２７  フラッシュボタン
１０＿２８，１１０＿３４  液晶モニタ
１０＿２９  ＭＥＮＵ／ＯＫボタン
１０＿３０  ＢＡＣＫボタン
１０＿３１  ＤＩＳＰボタン
１０＿３２  フォトモードボタン
１０＿３３  収容蓋
１０＿３４  ストラップ取付部
１０＿４１  撮像素子（ＣＣＤ）
１０＿４２  Ａ／Ｄ変換回路
１０＿４３  画像入力コントローラ
１０＿４４  画像信号処理回路
１０＿４５  圧縮処理回路
１０＿４６  ビデオエンコーダ
１０＿４７  ＣＰＵ
１０＿４８，１０＿４９  モータドライバ
１０＿５０  ＡＥ検出回路
１０＿５１  ＡＦ検出回路
１０＿５２  メモリ（ＳＤＲＡＭ）
１０＿５３  メディアコントローラ
１０＿５４  記録メディア
１０＿１００  バスライン
１０＿５１１  プリガンマ処理部
１０＿５１２  ローパス用のＡＦフィルタ
１０＿５１３，５１７  ハイパス用のＡＦフィルタ
１０＿５１４，１０＿５１８  ＡＢＳ（絶対値）部
１０＿５１５，１０＿５１９  コアリング
１０＿５１６，１０＿５２０  積算部
１０＿５１２ａ，１０＿５１２ｂ，１０＿５１２ｃ，１０＿５１２ｄ  乗算器
１０＿５１２ｅ，１０＿５１２ｆ，１０＿５１２ｇ，１０＿５１２ｈ  遅延回路
１０＿５１２ｉ，１０＿５１３ｍ  減算器
１０＿５１２ｊ，１０＿５１２ｋ，１０＿５１２ｍ  加算器
１１０＿５  グリップ
１１０＿６  セルフタイマランプ
１１０＿９  モードダイヤル
１１０＿１０  電源ボタン
１１０＿１２  ポップアップボタン
１１０＿２４  露出補正ボタン
１１０＿２５  広角ズームボタン
１１０＿２６  望遠ズームボタン
１１０＿２７  モードスイッチ
１１０＿３０  フォトモードボタン
１１０＿３１  十字ボタン
１１０＿３１ａ  上ボタン
１１０＿３１ｂ  下ボタン
１１０＿３１ｃ  左ボタン
１１０＿３１ｄ  右ボタン
１１０＿３２  メニュー／ＯＫボタン
１１０＿３３  ＤＩＳＰ／ＢＡＣＫボタン
【図１】
2006145964.tif 000003
【図２】
2006145964.tif 000004
【図３】
2006145964.tif 000005
【図４】
2006145964.tif 000006
【図５】
2006145964.tif 000007
【図６】
2006145964.tif 000008
【図７】
2006145964.tif 000009
【図８】
2006145964.tif 000010
【図９】
2006145964.tif 000011
【図１０】
2006145964.tif 000012
【図１１】
2006145964.tif 000013
【図１２】
2006145964.tif 000014
【図１３】
2006145964.tif 000015
【図１４】
2006145964.tif 000016
【図１５】
2006145964.tif 000017
【図１６】
2006145964.tif 000018